(57)【要約】【課題】自動取引装置の寿命の短縮を抑制する。【解決手段】自動取引装置１では、複数の収納手段７ａからそれぞれ繰り出された紙幣の枚数を計数すると共に、繰り出された紙幣の状態を鑑別して、収納手段７ａごとに紙幣の状態を対応させるようにした。これにより、繰り出された紙幣の状態に多重繰り出し・鑑別不良等の異常があった収納手段７ａのみの紙幣の有り高の精査を実行するようにした。そして、収納手段７ａから繰り出された紙幣の枚数及び収納手段７ａの紙幣の有り高を更新するようにした。【選択図】図１
2012230591.tif 000002
【特許請求の範囲】
【請求項１】
紙幣を収納する収納手段に、前記収納手段から繰り出された前記紙幣の状態が対応付けられた状態情報を保持する状態情報保持手段と、
前記状態情報保持手段を参照して前記紙幣の状態に応じて前記収納手段に収納されている前記紙幣の枚数を精査手段に精査させる精査実行手段と、
を有することを特徴とする自動取引装置。
【請求項２】
前記収納手段に対する前記紙幣の入出に応じて増減される前記収納手段に収納されている前記紙幣の枚数の情報を保持する計数情報保持手段と、
前記精査実行手段が精査させた前記収納手段に収納されている前記紙幣の枚数に基づき前記計数情報保持手段が保持する前記紙幣の枚数を更新する更新手段と、
をさらに有することを特徴とする請求項１記載の自動取引装置。
【請求項３】
前記状態情報保持手段が保持する前記状態情報は、前記収納手段に前記収納手段から繰り出された前記紙幣の異常状態の有無が対応付けられている、
ことを特徴とする請求項２記載の自動取引装置。
【請求項４】
前記更新手段は、前記状態情報保持手段を参照して異常状態がある前記紙幣が繰り出された前記収納手段に収納されている前記紙幣の枚数に基づいて更新する、
ことを特徴とする請求項３記載の自動取引装置。
【請求項５】
前記収納手段から繰り出された前記紙幣の状態を鑑別する鑑別手段、
をさらに有することを特徴とする請求項３記載の自動取引装置。
【請求項６】
前記状態情報保持手段の前記紙幣の異常状態は、前記鑑別手段で鑑別された前記紙幣が重なって繰り出されている状態である、
ことを特徴とする請求項５記載の自動取引装置。
【請求項７】
前記状態情報保持手段の前記紙幣の異常状態は、前記鑑別手段で鑑別された前記紙幣が鑑別不良の状態である、
ことを特徴とする請求項５記載の自動取引装置。
【請求項８】
紙幣を収納する収納手段に、前記収納手段から繰り出された前記紙幣の状態が対応付けられた状態情報を参照して、状態に応じて前記収納手段に収納されている前記紙幣の枚数を精査手段に精査させる、
ことを特徴とする自動取引装置の精査方法。
【発明の詳細な説明】
【技術分野】
【０００１】
自動取引装置及び自動取引装置の精査方法に関する。
【背景技術】
【０００２】
金融機関等に設置されている自動取引装置（ＡＴＭ（Automated Teller Machine））は利用者から受け付けた操作入力に応じて現金の預かり入れ、引き出し、振り込み、送金等の取引を実行する。また、自動取引装置は、金種ごとに紙幣を収納するスタッカと、紙幣を補充するためのカセットと、紙幣を搬送する搬送手段とが内蔵された紙幣処理ユニットを備える。このような紙幣処理ユニットは、利用者が入金した紙幣が金種に応じたスタッカに搬送手段により搬送され、また、スタッカから紙幣が利用者に出金される。そして、カセットからスタッカに紙幣が搬送される（例えば、特許文献１参照）。
【０００３】
さらに、紙幣処理ユニットのスタッカ及びカセットには紙幣カウンタがそれぞれ設けられている。紙幣カウンタはスタッカ及びカセットから紙幣がそれぞれ繰り出されるごとに当該紙幣を１枚ずつカウント（計数）する。これにより自動取引装置は、紙幣カウンタの計数結果から繰り出された紙幣の枚数と共にスタッカ及びカセット内に収納されている紙幣の枚数の管理を行う。
【０００４】
しかし、紙幣がスタッカ及びカセットから搬送手段により繰り出される際に、２枚以上が重なる場合（多重繰り出し）がある。この場合でも、紙幣カウントは１枚の紙幣が繰り出されたことをカウントしてしまう。即ち、自動取引装置が管理するスタッカ及びカセット内に収納されている紙幣の枚数（有り高）と、実際に収納されているスタッカ及びカセット内の紙幣の有り高とで差異が生じてしまう。
【０００５】
このように紙幣の有り高に差異が生じる場合があるために、紙幣カウンタがカウントした紙幣の枚数に対する自動取引装置の紙幣の有り高と、自動取引装置の実際の紙幣の有り高とをオペレータは確認する必要がある。このため、自動取引装置の紙幣処理ユニットの全てのスタッカ及び全てのカセットが収納する紙幣を鑑別及び計数して、自動取引装置の紙幣の有り高の精査を行っている。
【先行技術文献】
【特許文献】
【０００６】
【特許文献１】特開平６−１６２３２４号公報
【発明の概要】
【発明が解決しようとする課題】
【０００７】
しかし、自動取引装置の紙幣処理ユニットの全てのスタッカ及び全てのカセットに収納されている紙幣を精査するにあたり、自動取引装置を一旦停止しなくてはならない。停止の間、利用者は自動取引装置を利用できなくなってしまうという問題点があった。
【０００８】
また、全てのスタッカ及び全てのカセットの紙幣を精査するために、精査に多くの時間を要する。紙幣の精査に時間を要することから、自動取引装置における精査時の紙幣詰まり等の故障の発生率が向上し、自動取引装置に対する精査のための動作負担も増加することから、自動取引装置の劣化が進んでしまう。このため、自動取引装置の寿命が短縮してしまうという問題点もあった。
【０００９】
本発明は、このような点に鑑みてなされたものであり、寿命の短縮が抑制された自動取引装置及び自動取引装置の精査方法に関する。
【課題を解決するための手段】
【００１０】
上記目的を達成するために、紙幣を収納する収納手段に、前記収納手段から繰り出された前記紙幣の状態が対応付けられた状態情報を保持する状態情報保持手段と、前記状態情報保持手段を参照して前記紙幣の状態に応じて前記収納手段に収納されている前記紙幣の枚数を精査手段に精査させる精査実行手段と、を有する自動取引装置が提供される。
【００１１】
また、上記目的を達成するために、上記自動取引装置と同様の精査を実行する方法が提供される。
【発明の効果】
【００１２】
このような自動取引装置及び自動取引装置の精査方法により、自動取引装置の寿命の短縮が抑制される。
【図面の簡単な説明】
【００１３】
【図１】第１の実施の形態に係る自動取引装置を説明するための概念図である。
【図２】第２の実施の形態に係るＡＴＭの斜視図である。
【図３】第２の実施の形態に係るＡＴＭのハードウェア構成例を示す図である。
【図４】第２の実施の形態に係るＡＴＭが備える紙幣処理ユニットの構成例を示す図である。
【図５】第２の実施の形態に係るＡＴＭが備える機能を示すブロック図である。
【図６】第２の実施の形態に係るＡＴＭが備えるカウント情報及び状態情報を説明するための図である。
【図７】第２の実施の形態に係るＡＴＭが備えるカセットに収納されている紙幣のカウンタ枚数を説明するための図である。
【図８】第２の実施の形態に係るＡＴＭのスタッカにおける繰り出し処理を実行するための処理手順を示すフローチャートである。
【図９】第２の実施の形態に係るＡＴＭのカセットにおける繰り出し処理を実行するための処理手順を示すフローチャート（その１）である。
【図１０】第２の実施の形態に係るＡＴＭのカセットにおける繰り出し処理を実行するための処理手順を示すフローチャート（その２）である。
【図１１】第２の実施の形態に係るＡＴＭのカウント情報の更新処理を実行するための処理手順を示すフローチャートである。
【発明を実施するための形態】
【００１４】
以下、図面を参照して実施の形態について説明する。
［第１の実施の形態］
図１は、第１の実施の形態に係る自動取引装置を説明するための概念図である。
【００１５】
自動取引装置１は、収納手段から繰り出された紙幣の枚数に対応する収納手段に収納されている紙幣の有り高と、収納手段に実際に収納されている紙幣の有り高とを一致させる際に、異常状態の紙幣が繰り出された収納手段のみの紙幣の精査を行うものである。
【００１６】
このような自動取引装置１は、図１に示されるように、計数情報保持手段２、状態情報保持手段３、精査実行手段４、更新手段５、紙幣処理制御手段６及び紙幣処理装置７を備える。なお、少なくとも、精査実行手段４、更新手段５及び紙幣処理制御手段６は、自動取引装置１が備える図示しないＣＰＵ（Central Processing Unit：中央演算処理装置）によって精査プログラムが実行されることにより、その処理機能が実現される。
【００１７】
計数情報保持手段２は、紙幣を収納する収納手段７ａに対して入出する紙幣に応じて増減される収納手段７ａに収納されている紙幣の枚数の情報を保持する。例えば、計数情報保持手段２は収納手段７ａに収納されている紙幣の枚数（有り高）の情報を保持している。自動取引装置１が利用者からの操作入力に応じて紙幣を出金する場合、収納手段７ａから紙幣が１枚ずつ繰り出されるごとに、計数情報保持手段２が保持する紙幣の有り高が１枚ずつ減少する。
【００１８】
状態情報保持手段３は、収納手段７ａに、収納手段７ａから繰り出された紙幣の状態が対応付けられた状態情報を保持する。例えば、収納手段７ａから繰り出された紙幣が重なった状態である場合には当該紙幣が繰り出された収納手段７ａに対して紙幣が多重繰り出し状態であることが対応付けられる。また、同様に繰り出された紙幣が鑑別不良の状態である場合には当該紙幣が繰り出された収納手段７ａに対して紙幣が鑑別不良状態であることが対応付けられる。
【００１９】
精査実行手段４は、状態情報保持手段３を参照して状態に応じて収納手段７ａに収納されている紙幣の枚数を精査手段７ｂに精査させる。
更新手段５は、精査実行手段４が精査させた収納手段７ａに収納されている紙幣の枚数に基づき計数情報保持手段２が保持する紙幣の枚数を更新する。
【００２０】
紙幣処理制御手段６は、後述する紙幣処理装置７を動作させるための制御信号を紙幣処理装置７に通知し、紙幣処理装置７からの処理に応じた信号を受信する。また、紙幣処理制御手段６は、後述する計数手段７ｃの計数結果を計数情報保持手段２に反映させる。
【００２１】
紙幣処理装置７は、紙幣処理制御手段６からの制御信号に基づいて紙幣の入金の受け付け、出金等の取引を実行する。さらに、紙幣処理装置７は、収納手段７ａ、精査手段７ｂ、計数手段７ｃ及び鑑別手段７ｄを備えている。
【００２２】
収納手段７ａは紙幣を金種ごとに用意されており、金種に応じて紙幣を収納する。収納手段７ａは、例えば、スタッカ（万円券、五千円券、二千円券、千円券）、カセット等であり、紙幣処理制御手段６からの制御信号に応じて、スタッカから紙幣が繰り出されて外部に出金され、または、スタッカとカセットとの間で紙幣が搬送される。
【００２３】
精査手段７ｂは、収納手段７ａが保持する紙幣の枚数を精査する。例えば、金種ごとに紙幣を収納するスタッカから収納用のカセット等の収納庫に一度紙幣を全て搬送し、再び収納庫から紙幣を後述する鑑別手段７ｄが鑑別し数えながらスタッカに紙幣を格納することにより精査処理を実施している。
【００２４】
計数手段７ｃは、収納手段７ａから紙幣が繰り出されるごとに、また、収納手段７ａに紙幣が収納されるごとに、繰り出され収納された紙幣の通過を検知することで、繰り出され収納された紙幣の枚数を計数する。
【００２５】
鑑別手段７ｄは、収納手段７ａから繰り出された紙幣を鑑別する。例えば、繰り出された紙幣が多重繰り出し状態、鑑別不良等であることを鑑別する。
紙幣処理装置７は、このように計数手段７ｃが計数した情報、鑑別手段７ｄが鑑別した情報をそれぞれ紙幣処理制御手段６に通知する。
【００２６】
このような構成を有する自動取引装置１で行われる精査処理について説明する。
紙幣処理装置７では、複数の収納手段７ａからそれぞれ紙幣が繰り出され、また、収納されると、繰り出され収納された紙幣の枚数を計数手段７ｃがそれぞれ計数する。計数手段７ｃが計数した紙幣の枚数を紙幣処理装置７は紙幣処理制御手段６に通知する。紙幣処理制御手段６は通知された紙幣の枚数の情報を計数情報保持手段２が保持する各収納手段７ａの紙幣の有り高の情報に反映させる。
【００２７】
さらに、このようにして複数の収納手段７ａからそれぞれ繰り出された紙幣は鑑別手段７ｄにより鑑別される。繰り出された紙幣の鑑別情報を紙幣処理装置７は紙幣処理制御手段６に通知する。紙幣処理制御手段６は通知された当該鑑別情報を収納手段７ａごとに対応させて状態情報保持手段３に保持させる。
【００２８】
ここで、ある収納手段７ａから繰り出された紙幣が、例えば２枚が重なった多重繰り出しの状態であることを鑑別手段７ｄが鑑別する。このような鑑別結果は紙幣処理装置７から紙幣処理制御手段６を介して状態情報保持手段３に保持される。
【００２９】
この時、収納手段７ａから繰り出された紙幣は実際は２枚であるが、計数手段７ｃは１枚の紙幣が繰り出されたことを計数する。即ち、計数手段７ｃのこのような計数結果を計数情報保持手段２に反映すると、収納手段７ａの実際の紙幣の有り高と、計数情報保持手段２の収納手段７ａの紙幣の有り高とは一致しないことになる（実際の紙幣の有り高の方が少ない）。それぞれの紙幣の有り高を一致させるために多重繰り出し状態の紙幣が繰り出された収納手段７ａに収納されている紙幣の枚数を精査する必要がある。
【００３０】
そこで、精査実行手段４は、状態情報保持手段３を参照して複数の収納手段７ａから上記の多重繰り出し状態の紙幣が繰り出された収納手段７ａの紙幣の枚数の精査要求を紙幣処理制御手段６に通知する。紙幣処理制御手段６はこのような精査要求を紙幣処理装置７に通知する。
【００３１】
紙幣処理装置７は精査要求に基づいて精査対象となる収納手段７ａのみの紙幣の枚数の精査を実行し、精査した紙幣の枚数を紙幣処理制御手段６に通知する。
更新手段５は、紙幣処理制御手段６から精査実行手段４を介して精査による紙幣の枚数の情報を取得して、当該紙幣の枚数に基づいて計数情報保持手段２の対象となる収納手段７ａに対する繰り出した紙幣の枚数を更新する。
【００３２】
以上の処理を実行することにより、計数情報保持手段２が保持する計数情報が更新されて、計数情報保持手段２が保持する収納手段７ａの紙幣の有り高と、収納手段７ａの紙幣の実際の有り高とが一致するようになる。
【００３３】
このような自動取引装置１では、複数の収納手段７ａに対してそれぞれ入出した紙幣の枚数を計数すると共に、繰り出された紙幣の状態を鑑別して、収納手段７ａごとに繰り出された紙幣の状態を対応させるようにした。
【００３４】
これにより、繰り出された紙幣の状態に多重繰り出し、鑑別不良等の異常があった収納手段７ａのみの紙幣の有り高の精査を実行するようにした。そして、収納手段７ａから繰り出された紙幣の枚数を更新でき、収納手段７ａの紙幣の有り高が収納手段７ａの実際の紙幣の有り高と一致するようになる。
【００３５】
したがって、全ての収納手段７ａの紙幣の枚数の精査を実行する必要が無くなるため、自動取引装置１の停止時間が短縮される。また、紙幣処理装置７の精査時の紙幣詰まり等の故障の発生率の向上、また、紙幣処理装置７の劣化の進行がそれぞれ抑制される。この結果、自動取引装置の寿命の短縮が抑制される。
【００３６】
［第２の実施の形態］
第２の実施の形態では、第１の実施の形態をより具体的に説明する。
図２は、第２の実施の形態に係るＡＴＭの斜視図である。
【００３７】
ＡＴＭ１０は、前面にカード挿入／排出口４０ａを有するカード処理ユニット、通帳挿入／排出口５０ａを有する通帳処理ユニット、硬貨入出金部６０ａを有する硬貨処理ユニット、及び紙幣入出金部７０ａを有する紙幣処理ユニットを有する。さらに、ＡＴＭ１０は、利用者からの操作入力及び表示のための表示部３０ａを有する表示ユニットを有する。
【００３８】
図３は、第２の実施の形態に係るＡＴＭのハードウェア構成例を示す図である。
ＡＴＭ１０は、ＡＴＭ１０で行われる所定の処理を実行する制御ユニット２０、利用者からの操作入力及び出力結果を表示する表示ユニット３０を有する。さらに、ＡＴＭ１０には、図２で説明した、カード挿入／排出口４０ａを有するカード処理ユニット４０、通帳挿入／排出口５０ａを有する通帳処理ユニット５０、硬貨入出金部６０ａを有する硬貨処理ユニット６０及び紙幣入出金部７０ａを有する紙幣処理ユニット７０を有する。
【００３９】
制御ユニット２０は、ＣＰＵ２０ａ、ＲＡＭ（Random Access Memory）２０ｂ、ＨＤＤ（Hard Disk Drive）２０ｃ、グラフィックインタフェース２０ｄ、ホスト通信制御部２０ｅ及び入出力インタフェース２０ｆを備えており、これらの各部はバス２０ｇで相互に接続されている。
【００４０】
ＣＰＵ２０ａは、ＨＤＤ２０ｃ等の記憶媒体に記憶された各種プログラムを実行することにより、このＡＴＭ１０全体を統括的に制御する。
ＲＡＭ２０ｂには、ＣＰＵ２０ａに実行させるＯＳ（Operating System）並びにプログラムの少なくとも一部が一時的に格納される。また、ＲＡＭ２０ｂには、ＣＰＵ２０ａによる処理に必要な各種データが格納される。
【００４１】
ＨＤＤ２０ｃには、ＡＴＭ１０上のＯＳ及びアプリケーションのプログラムが格納される。また、ＨＤＤ２０ｃには、ＣＰＵ２０ａによる処理に必要な各種データが格納される。
【００４２】
グラフィックインタフェース２０ｄには、表示ユニット３０が接続されている。グラフィックインタフェース２０ｄは、ＣＰＵ２０ａからの命令に従って、画面を表示ユニット３０の表示部３０ａに表示させる。また、グラフィックインタフェース２０ｄは、表示ユニット３０の入力検知部３０ｂで検知された操作入力に応じた情報を取得する。
【００４３】
ホスト通信制御部２０ｅは、様々な場所に設置したＡＴＭ１０の管理を行う管理センターのホストコンピュータ（図示を省略）と通信可能に例えばＬＡＮ（Local Area Network）で接続されており、ホストコンピュータと送受信信号の通信を行うことができる。
【００４４】
入出力インタフェース２０ｆには、カード処理ユニット４０、通帳処理ユニット５０、硬貨処理ユニット６０、及び紙幣処理ユニット７０が接続されている。また、入出力インタフェース２０ｆは、カード処理ユニット４０、通帳処理ユニット５０、硬貨処理ユニット６０、及び紙幣処理ユニット７０が相互に通信可能に接続されており、バス２０ｇを介してＣＰＵ２０ａと相互に信号の送受信を行う。
【００４５】
表示ユニット３０は、取引に関する画面を表示して、利用者からの操作入力を受け付けることができるものであり、表示部３０ａと、入力検知部３０ｂとを備える。
表示部３０ａは、ＡＴＭ１０の処理に応じ画面情報に基づいて画面を表示する、例えばＬＣＤ（Liquid Crystal Display：液晶ディスプレイ）である。
【００４６】
入力検知部３０ｂは、表示部３０ａが表示する画面に対する利用者のタッチを検知する。具体的には、利用者のタッチによる操作入力によって赤外線ビームが遮光された赤外線ＬＥＤ（Light Emitting Diode）とフォトトランジスタとから操作入力の位置情報を検出して、当該位置情報を制御ユニット２０に送信する。なお、制御ユニット２０のＣＰＵ２０ａにより、検知したタッチ位置に該当する画面に表示されている処理内容を識別して、当該処理を実行する。
【００４７】
カード処理ユニット４０は、カード挿入／排出口４０ａから挿入された利用者のカードの実行指示に応じて所定の処理の処理結果を記録する。また、カード処理ユニット４０は、処理結果の記録が完了したカードを、カード挿入／排出口４０ａから排出して、利用者に返却する。
【００４８】
通帳処理ユニット５０は、通帳挿入／排出口５０ａから挿入された利用者の通帳を所定位置まで搬送し、利用者からの実行指示に応じて所定の処理の処理結果を記録する。また、通帳処理ユニット５０は、処理結果の記録が完了した通帳を搬送して、通帳挿入／排出口４０ａから排出して、利用者に返却する。
【００４９】
硬貨処理ユニット６０及び紙幣処理ユニット７０は、硬貨入出金部６０ａ及び紙幣入出金部７０ａから挿入された硬貨及び紙幣を受け入れて、硬貨及び紙幣をそれぞれ計数する。また、利用者の所定の実行指示に応じて、硬貨入出金部６０ａ及び紙幣入出金部７０ａから処理に応じた額の硬貨及び紙幣を放出することができる。
【００５０】
このようなカード処理ユニット４０、通帳処理ユニット５０、硬貨処理ユニット６０、及び紙幣処理ユニット７０は、利用者による表示ユニット３０を介した操作入力に応じて、制御ユニット２０のＣＰＵ２０ａによってそれぞれ制御される。
【００５１】
なお、図３に記載したハードウェア構成以外にも、例えば、オペレータ、係員、行員等がＡＴＭ１０の様々な設定を管理し、設定状況を把握するための操作表示ユニット等の上位装置（図示を省略）を制御ユニット２０に接続するようにしても構わない。
【００５２】
次いで、ＡＴＭが備えるこのようなハードウェア構成の１つである紙幣処理ユニット７０の詳細について説明する。
図４は、第２の実施の形態に係るＡＴＭが備える紙幣処理ユニットの構成例を示す図である。
【００５３】
紙幣処理ユニット７０には、紙幣入出金部７０ａ、鑑別部７０ｂ、一時保留部７０ｃ、取り忘れリジェクト部７０ｄ、スタッカＡ，１〜３、カセットＦ，Ｒ、リジェクト部７０ｋを有する。
【００５４】
紙幣入出金部７０ａは外部から入金される紙幣を受け入れて、また、紙幣処理ユニット７０から外部に出金される紙幣が払い出される。
鑑別部７０ｂは、入出金される紙幣の真偽、金種、正損、裏表、重なり等を鑑別するもので、どちら側から搬送された紙幣も鑑別可能である。
【００５５】
一時保留部７０ｃは、入金時に利用者が入金した紙幣を一時的に保持する。
取り忘れリジェクト部７０ｄは、出金時に紙幣入出金部７０ａの紙幣を利用者が取り忘れた場合にその取り忘れた紙幣を収納する。
【００５６】
スタッカＡ，１〜３は、出金用の紙幣を金種別に収納するもので、入金時に出金用に使用できる紙幣も出金用紙幣として格納する。例えば、スタッカＡは万円券、スタッカ１は五千円券、スタッカ２は二千円券、スタッカ３は千円券の紙幣をそれぞれ収納する。
【００５７】
カセットＦ，Ｒは、スタッカＡ，１〜３に対して補充を行う紙幣を収納すると共に、スタッカＡ，１〜３から収納した紙幣を収納する。
なお、スタッカＡ，１〜３及びカセットＦ，Ｒには図示しない繰り出し手段が設けられており、ＡＴＭ１０における繰り出し要求に応じて繰り出し手段はスタッカＡ，１〜３及びカセットＦ，Ｒから紙幣を必要枚数繰り出すことができる。
【００５８】
リジェクト部７０ｋは、スタッカＡ，１〜３及びカセットＦ，Ｒから繰り出された紙幣のうち、鑑別部７０ｂが使用できないと判定した紙幣をリジェクト紙幣として収納する。
また、スタッカＡ，１〜３及びカセットＦ，Ｒにはカウンタ部７０ｅ〜７０ｊが、さらにカセットＦ，Ｒには紙幣センサ７０ｊ１，７０ｉ１がそれぞれ設けられている。
【００５９】
カウンタ部７０ｅ〜７０ｊはスタッカＡ，１〜３及びカセットＦ，Ｒからそれぞれ繰り出され、また、スタッカＡ，１〜３及びカセットＦ，Ｒにそれぞれ収納される紙幣が通過する通路に設置されている。このようなカウンタ部７０ｅ〜７０ｊはスタッカＡ，１〜３及びカセットＦ，Ｒから繰り出され、また、収納される紙幣が通過することで紙幣をカウントする。
【００６０】
紙幣センサ７０ｊ１，７０ｉ１はカセットＦ，Ｒの紙幣の有り高が０枚になったことを検知する。
紙幣処理ユニット７０に内蔵されている上記のスタッカＡ，１〜３及びカセットＦ，Ｒ等の間には搬送路が設けられており、紙幣はそれらの間の搬送路を搬送される。
【００６１】
次に、ＡＴＭ１０が備える制御機能について説明する。
図５は、第２の実施の形態に係るＡＴＭが備える機能を示すブロック図である。
ＡＴＭ１０は、紙幣処理ユニット７０の全てのスタッカＡ，１〜３及び全てのカセットＦ，Ｒの精査を行わず、異常状態の紙幣が繰り出されたスタッカＡ，１〜３及びカセットＦ，Ｒのみを精査することができるものである。
【００６２】
このようなＡＴＭ１０は制御ユニット２０にカウント情報保持部２１、状態情報保持部２２を有する。
図６は、第２の実施の形態に係るＡＴＭが備えるカウント情報及び状態情報を説明するための図である。
【００６３】
なお、図６（Ａ）はカウント情報保持部２１が保持するカウント情報を、図６（Ｂ）は状態情報保持部２２が保持する状態情報をそれぞれ表している。
カウント情報保持部２１は、スタッカＡ，１〜３に収納されている紙幣のカウント枚数（有り高）を示すカウント情報を保持する。例えば、スタッカＡ，１〜３には図６（Ａ）に示されるようにＡ，Ｂ，Ｃ，Ｄ枚の紙幣がそれぞれ収納されている。
【００６４】
スタッカＡ，１〜３に対して入出する紙幣の枚数を後述するカウント情報管理部２５がカウント情報の紙幣の有り高に反映させる。但し、スタッカＡ，１〜３から重なった状態、鑑別不良な状態の紙幣が繰り出された場合には、カウント情報保持部２１が保持する各紙幣のカウント枚数は実際の紙幣の有り高と異なってくる。
【００６５】
また、カウント情報保持部２１は、カセットＦ，Ｒに収納されている紙幣のカウント枚数を示すカウント情報も保持する。例えば、カセットＦ，Ｒは図６（Ａ）に示されるようにＥ，Ｆ枚の紙幣がそれぞれ収納されている。また、カセットＦ，ＲもスタッカＡ，１〜３の場合と同様に紙幣の入出に応じて後述するカウント情報管理部２５により紙幣の有り高が変動される。
【００６６】
また、スタッカＡ，１〜３及びカセットＦ，Ｒに搬送される紙幣は、各スタッカＡ，１〜３及び各カセットＦ，Ｒから繰り出されて鑑別部７０ｂにより真であることが鑑別されたものである。したがって、スタッカＡ，１〜３及びカセットＦ，Ｒに搬送されカウンタ部７０ｅ〜７０ｊが検知した紙幣の枚数は、実際に搬送される紙幣の枚数と一致することが考えられる。
【００６７】
なお、カセットＦ，Ｒのカウンタ枚数の詳細については後述する。
状態情報保持部２２は、紙幣処理ユニット７０の各スタッカＡ，１〜３及び各カセットＦ，Ｒに対して、エラーフラグのＯＮ／ＯＦＦが識別されている。例えば、スタッカＡから繰り出された紙幣は鑑別部７０ｂに搬送されて、鑑別部７０ｂで紙幣の鑑別が行われる。鑑別の結果、当該紙幣が真であるため、エラーフラグにＯＦＦがセットされる。一方、スタッカ２から繰り出された紙幣の鑑別の結果が当該紙幣が２枚以上重なった状態、鑑別不良の状態等である場合には、図６（Ｂ）に示されるように、当該紙幣が繰り出されたスタッカ２に対してエラーフラグはＯＮがセットされる。
【００６８】
また、繰り出し要求に応じて各スタッカＡ，１〜３及び各カセットＦ，Ｒから紙幣を繰り出す場合に、カウンタ部７０ｅ〜７０ｊが紙幣の繰り出しを所定時間検出できなければ、紙幣が詰まったものとみなして、エラーフラグにＯＮがセットされる。
【００６９】
ここでカセットＦ，Ｒのカウンタ枚数について説明する。
図７は、第２の実施の形態に係るＡＴＭが備えるカセットに収納されている紙幣のカウンタ枚数を説明するための図である。
【００７０】
なお、図７では、カセットの動作、その動作に伴うカセットの紙幣の実際の有り高（実枚数）、カウント情報保持部２１が保持するカセットのカウンタ枚数及びカセットに対するエラーフラグがそれぞれ示されている。また、図７中に記載の紙幣の枚数は一例である。
【００７１】
カセットＦ，Ｒ（以下、カセット）は、既述の通り、様々な金種の紙幣が装填されている。このようなカセットをＡＴＭ１０に装着して各スタッカＡ，１〜３に紙幣を補充することができるものである。
【００７２】
まず、１００枚の紙幣が装填されたカセットをＡＴＭ１０に装着する（図７の番号１）。
この場合はカセット内には１００枚の紙幣が収納されているが、ＡＴＭ１０はカセット内の紙幣の有り高を判断することができないためにカウント情報保持部２１のカセットのカウンタ枚数は０枚である。したがって、カセットの実際の有り高（実枚数）と、カウント情報保持部２１のカセットの有り高は異なっているためエラーフラグはＯＮがセットされる。
【００７３】
この状態においてカセットにスタッカから１０枚を収納する（図７の番号２）。
この場合はカセット内には１１０枚の紙幣が収納され、カウント情報保持部２１のカセットのカウンタ枚数は１０枚がカウントされる。したがって、この場合もカセットの実際の有り高（実枚数）と、カウント情報保持部２１のカセットの有り高は異なっているためエラーフラグはＯＮがセットされたままである。
【００７４】
さらに、カセットからスタッカに２０枚を繰り出す（図７の番号３）。
この場合はカセット内には９０枚の紙幣が収納され、カウント情報保持部２１のカセットのカウンタ枚数は０枚がカウントされる。したがって、この場合もカセットの実際の有り高（実枚数）と、カウント情報保持部２１のカセットの有り高は異なっているためエラーフラグはＯＮがセットされたままである。
【００７５】
再び、カセットからスタッカに９０枚を繰り出す（図７の番号４）。
この場合はカセットに設けられている紙幣センサがカセット内の紙幣が全て繰り出されて有り高が０枚になったことを検知する。また、カウント情報保持部２１のカセットのカウンタ枚数も０枚のままである。このため、検知されたカセットの実際の有り高と、カウント情報保持部２１のカセットの有り高とが一致するため、エラーフラグはＯＦＦがセットされる。
【００７６】
続けて、カセットがスタッカから２０枚を収納する（図７の番号５）。
カセットの実際の有り高（実枚数）と、カウント情報保持部２１のカセットの有り高とがそれぞれ２０枚となり一致することからエラーフラグはＯＦＦのままである。
【００７７】
次いで、カセットからスタッカに１０枚を収納する。但し、その中で２枚が重なった多重繰り出しが発生している（図７の番号６）。
この場合はカセット内の紙幣は１２枚繰り出されて、実際の有り高は８枚となる。一方、カウント情報保持部２１のカセットのカウンタ枚数は１０枚がカウントされる。このように多重繰り出しが検知されるためにエラーフラグにＯＮがセットされる。
【００７８】
最後に、カセットがスタッカに１０枚を繰り出す（図７の番号７）。
紙幣センサにより０枚が検知されたカセットの実際の有り高（実枚数）と、カウント情報保持部２１のカセットの有り高とが一致することからエラーフラグはＯＦＦがセットされる。
【００７９】
このようにカセットについては装着直後からカセットの実際の紙幣の有り高とカウント情報保持部２１が保持する紙幣の有り高とが一致するまではエラーフラグにＯＮがセットされることがわかる。
【００８０】
ＡＴＭ１０の制御ユニット２０の構成の説明に戻る。
ＡＴＭ１０の制御ユニット２０は、上記の他、紙幣処理ユニット制御部２３、状態情報設定部２４、カウント情報管理部２５、精査実行部２６、更新部２７及び表示ユニット制御部２８をさらに有する。
【００８１】
紙幣処理ユニット制御部２３は、ＡＴＭ１０に対する利用者からの操作入力等に応じて紙幣処理ユニット７０の動作を制御する。例えば、出金要求に応じて要求された出金額に基づいた紙幣の枚数を各スタッカＡ，１〜３から１枚ずつ繰り出して、紙幣入出金部７０ａから払い出す。各スタッカＡ，１〜３に紙幣を補填する場合にはカセットＦ，Ｒから繰り出された紙幣を鑑別部７０ｂに搬送させる。紙幣は鑑別部７０ｂで鑑別された金種に応じたスタッカＡ，１〜３に搬送されて、スタッカＡ，１〜３に紙幣が補填される。このような処理以外にでも紙幣処理ユニット制御部２３は、通帳、カード等に対する取引履歴の記録等、紙幣処理ユニット７０に対して取引処理を実行させる。また、紙幣処理ユニット制御部２３は、紙幣処理ユニット７０の鑑別部７０ｂが紙幣の鑑別を行った鑑別情報、カウンタ部７０ｅ〜７０ｊが紙幣をカウントしたカウント情報等が通知される。
【００８２】
状態情報設定部２４は、紙幣処理ユニット制御部２３が紙幣処理ユニット７０から通知された繰り出された紙幣の状態情報を取得し、当該状態情報に基づいて状態情報保持部２２の各スタッカＡ，１〜３及び各カセットＦ，Ｒに対するエラーフラグを設定する。
【００８３】
カウント情報管理部２５は、紙幣処理ユニット制御部２３が紙幣処理ユニット７０から通知された入出した紙幣の枚数の情報を取得し、当該枚数の情報をカウント情報保持部２１の各スタッカＡ，１〜３及び各カセットＦ，Ｒの紙幣の有り高に反映させる。
【００８４】
精査実行部２６は、状態情報保持部２２が保持する状態情報を参照してエラーフラグがＯＮにセットされているスタッカＡ，１〜３、カセットＦ，Ｒの精査実行要求を紙幣処理ユニット制御部２３に通知する。また、精査実行部２６は、精査実行要求に応じた紙幣処理ユニット７０からの精査結果が紙幣処理ユニット制御部２３から通知される。
【００８５】
更新部２７は、エラーフラグがＯＮにセットされているスタッカＡ，１〜３、カセットＦ，Ｒの精査結果が精査実行部２６から通知される。更新部２７は通知された精査結果に基づいてカウント情報保持部２１が保持するカウント情報を更新する。
【００８６】
表示ユニット制御部２８は、表示ユニット３０に情報を表示させる。例えば、カウント情報保持部２１のカウント情報を表示ユニット３０に表示して、カウント情報の更新前後を、ＡＴＭ１０を管理するオペレータに視認させて案内することができる。
【００８７】
次に、このようなＡＴＭ１０で実行される繰り出し処理について説明する。
まず、スタッカＡ，１〜３における繰り出し処理について説明する。
図８は、第２の実施の形態に係るＡＴＭのスタッカにおける繰り出し処理を実行するための処理手順を示すフローチャートである。
【００８８】
なお、図８ではＡＴＭ１０が引き出し要求に応じた金額を出金する場合を例に挙げて説明する。
ＡＴＭ１０に対して利用者から引き出し要求が受け付けられ、引き出し金額が入力されると、ＡＴＭ１０では以下の処理が実行される。
【００８９】
［ステップＳ１１］  紙幣処理ユニット制御部２３は、引き出し要求金額に基づいた金種に対応するスタッカを選択する。
［ステップＳ１２］  紙幣処理ユニット制御部２３は、ステップＳ１１で選択したスタッカに対して紙幣の繰り出し要求を通知する。
【００９０】
［ステップＳ１３］  紙幣処理ユニット制御部２３は、時間の計測を開始する。
［ステップＳ１４，Ｓ１５］  紙幣処理ユニット制御部２３は、時間計測の間に、紙幣処理ユニット７０から正常に繰り出された旨の繰り出し結果を受信するとステップＳ１７に進められ、繰り出し結果を受信せずに計測時間がタイムアウトになるとステップＳ１６に進められる。
【００９１】
なお、タイムアウトになると、紙幣が繰り出せなかったためステップＳ１１で選択したスタッカは紙幣等の詰まりが発生しているものとみなされる。
［ステップＳ１６］  状態情報設定部２４は、状態情報保持部２２のステップＳ１１で選択したスタッカのエラーフラグにＯＮをセットする。
【００９２】
スタッカに紙幣等の詰まりが発生していることから繰り出し処理は終了される。
［ステップＳ１７］  紙幣処理ユニット制御部２３は、紙幣処理ユニット７０からステップＳ１１で選択したスタッカに設置されているカウンタ部が検知した紙幣の繰り出しの検知信号を受信する。
【００９３】
カウント情報管理部２５は、紙幣処理ユニット制御部２３からカウンタ部から繰り出された紙幣の検知信号を受信すると、カウント情報保持部２１のステップＳ１１で選択したスタッカのカウント枚数に反映する。
【００９４】
［ステップＳ１８］  紙幣処理ユニット制御部２３は、鑑別部７０ｂが鑑別したステップＳ１７で繰り出された紙幣の鑑別結果を紙幣処理ユニット７０から受信する。
［ステップＳ１９］  紙幣処理ユニット制御部２３は、ステップＳ１８で受信した鑑別結果を判別する。
【００９５】
当該鑑別結果が紙幣の多重繰り出し状態、鑑別不良状態等のエラーである場合にはステップＳ１１ａに進められ、エラーではない場合にはステップＳ１１ｂに進められる。
［ステップＳ１１ａ］  状態情報設定部２４は、ステップＳ１８で取得した鑑別結果に基づいて状態情報保持部２２のステップＳ１１で選択したスタッカのエラーフラグにＯＮをセットする。
【００９６】
なお、この場合、紙幣処理ユニット７０では鑑別結果がエラーであった紙幣はリジェクト部７０ｋに搬送される。
次の処理は、ステップＳ１２に進められて、紙幣処理ユニット制御部２３は、ステップＳ１１で選択したスタッカに対して再び紙幣の繰り出し要求を通知する。
【００９７】
［ステップＳ１１ｂ］  紙幣処理ユニット制御部２３は、引き出し要求金額に基づきステップＳ１１で選択したスタッカにおいて残りの紙幣を繰り出すべきか否かを判定する。
判定の結果、ステップＳ１１で選択したスタッカからさらに紙幣を繰り出す必要がある場合にはステップＳ１２に進められ、ステップＳ１１で選択したスタッカから紙幣を繰り出す必要が無い場合にはステップＳ１１ｃに進められる。
【００９８】
［ステップＳ１１ｃ］  紙幣処理ユニット制御部２３は、引き出し要求金額に基づきステップＳ１１で選択したスタッカ以外に選択すべき残りのスタッカの有無を判定する。
判定の結果、ステップＳ１１で選択したスタッカ以外に残りのスタッカを選択すべきである場合にはステップＳ１１に進められ、ステップＳ１１で選択したスタッカ以外にスタッカを選択する必要が無い場合には繰り出し処理を終了する。
【００９９】
次いで、カセットにおける繰り出し処理について説明する。
図９及び図１０は、第２の実施の形態に係るＡＴＭのカセットにおける繰り出し処理を実行するための処理手順を示すフローチャートである。
【０１００】
なお、図９及び図１０では、図８と同じ処理には図８と同じステップ番号を付しており、それらの説明は省略する。
ＡＴＭ１０に対して紙幣が充填されているカセットをオペレータが装着すると、図７の説明の通り、カセットに対してエラーフラグにＯＮがセットされる。ＡＴＭ１０に対して、カセットからスタッカへ紙幣の補填要求をオペレータが行う。ＡＴＭ１０は補填要求が受け付けられ、各スタッカに対する補填枚数が入力されると以下の処理を実行する。
【０１０１】
[ステップＳ１０１]  紙幣処理ユニット制御部２３は、補填要求に応じたカセットを選択する。
[ステップＳ１０２]  図９のステップＳ１７後、紙幣処理ユニット制御部２３は、紙幣処理ユニット７０から紙幣センサによるカセットの有り高が０枚である旨の通知を受信すると、次の処理はステップＳ１０３に進められ、受信しない場合にはステップＳ１８に進められる。
【０１０２】
[ステップＳ１０３]  紙幣処理ユニット制御部２３は、カウント情報管理部２５からカウント情報保持部２１のステップＳ１０１で選択したカセットのカウント枚数の情報を受信する。
【０１０３】
次の処理は、当該カウント枚数が０枚である場合にはステップＳ１０４に進められ、０枚ではない場合にはステップＳ１９に進められる。
[ステップＳ１０４]   紙幣処理ユニット制御部２３は、ステップＳ１０１で選択したカセットのエラーフラグをリセット（ＯＦＦ）する要求を状態情報設定部２４に通知する。
【０１０４】
状態情報設定部２４は状態情報保持部２２の通知された要求に基づいてカセットのエラーフラグをＯＦＦにセットする。次の処理は再びステップＳ１２に進められる。
[ステップＳ１０５]  紙幣処理ユニット制御部２３は、補填要求に基づきステップＳ１０１で選択したカセット以外に選択すべき残りのカセットの有無を判定する。
【０１０５】
判定の結果、ステップＳ１０１で選択したカセット以外に残りのカセットを選択すべきである場合にはステップＳ１０１に進められ、ステップＳ１０１で選択したカセット以外にカセットを選択する必要が無い場合には繰り出し処理を終了する。
【０１０６】
上記の図８〜図１０のような繰り出し処理が実行されると状態情報保持部２２及びカウント情報保持部２１の情報が蓄積される。
次に、ＡＴＭ１０で実行される精査処理及びカウント情報の更新処理について説明する。
【０１０７】
図１１は、第２の実施の形態に係るＡＴＭのカウント情報の更新処理を実行するための処理手順を示すフローチャートである。
ＡＴＭ１０に対してオペレータからカウント情報の更新要求が受け付けられると、以下の処理が実行される。
【０１０８】
［ステップＳ２１］  精査実行部２６は更新要求を受信すると状態情報保持部２２から状態情報を取得する。
［ステップＳ２２］  精査実行部２６は取得した状態情報（図６（Ｂ）参照）からｉ＝１（スタッカＡ）をセットする。
【０１０９】
なお、第２の実施の形態の場合には、ｉ＝１〜６はそれぞれスタッカＡ，１〜３及びカセットＦ，Ｒに対応させている。
［ステップＳ２３］  精査実行部２６は、セットされたｉに対応するスタッカまたはカセットのエラーフラグにＯＮがセットされているか否かを判定する。
【０１１０】
判定の結果、エラーフラグがＯＮである場合にはステップＳ２４に進められ、エラーフラグがＯＮではなくＯＦＦである場合にはステップＳ２７に進められる。
［ステップＳ２４］  精査実行部２６は、セットされたｉに対応するスタッカＡ，１〜３及びカセットＦ，Ｒの精査実行要求を紙幣処理ユニット制御部２３に通知する。紙幣処理ユニット制御部２３は紙幣処理ユニット７０のセットされたｉに対応するスタッカＡ，１〜３及びカセットＦ，Ｒの精査を実行させる。
【０１１１】
［ステップＳ２５］  精査実行部２６は紙幣処理ユニット制御部２３から紙幣処理ユニット７０におけるスタッカＡ，１〜３及びカセットＦ，Ｒの精査結果を受信する。
［ステップＳ２６］  精査実行部２６は精査結果を更新部２７に通知する。更新部２７は通知された精査結果に基づいてカウント情報保持部２１のセットされたｉに対応するスタッカＡ，１〜３及びカセットＦ，Ｒのカウント情報のカウント枚数を更新する。
【０１１２】
［ステップＳ２７］  精査実行部２６は、ｉに１を追加したｉ＋１をセットする。
［ステップＳ２８］  精査実行部２６は、ステップＳ２７でセットしたｉが６以下であるか否かを判別する。
【０１１３】
判別の結果、ｉが６以下である場合にはステップＳ２３に進められ、ｉが７以上である場合にはステップＳ２９に進められる。
［ステップＳ２９］  精査実行部２６は、状態情報保持部２２の状態情報のエラーフラグをリセットする。
【０１１４】
このようなフローチャートに沿って処理が実行されることによりＡＴＭ１０ではカウント情報が更新される。
次に、ＡＴＭ１０で実行される図８〜図１１の処理の具体例を説明する。
【０１１５】
例えば、スタッカＡ，１〜３及びカセットＦ，Ｒには紙幣がそれぞれ３０枚収納されており、ＡＴＭ１０から「１万二千円」を出金させる場合について説明する。
まず、繰り出し処理について説明する。
【０１１６】
紙幣処理ユニット制御部２３は、引き出し要求金額（「１万二千円（万円券１枚、二千円券１枚）」）に基づいてスタッカＡを選択して、スタッカＡに対して紙幣の繰り出し要求を通知する（ステップＳ１１，Ｓ１２）。
【０１１７】
紙幣処理ユニット制御部２３は、時間計測の間に、紙幣処理ユニット７０から正常に繰り出された旨の繰り出し結果を受信する。そして、紙幣処理ユニット７０からカウンタ部７０ｅが万円券の紙幣の繰り出しの検知信号を受信する。カウント情報管理部２５は、紙幣処理ユニット制御部２３から検知信号を取得してカウント情報保持部２１が保持するスタッカＡのカウント枚数を３０枚から１枚引かれた２９枚に更新する（ステップＳ１３，Ｓ１４，Ｓ１７）。
【０１１８】
さらに、紙幣処理ユニット制御部２３は、スタッカＡから繰り出された紙幣が真である旨の鑑別結果を受信する（ステップＳ１８，Ｓ１９）。
紙幣処理ユニット制御部２３は、スタッカＡからさらに繰り出すべき紙幣が無いために、二千円を繰り出すためにスタッカ２を選択する（ステップＳ１１ｂ，Ｓ１１ｃ，Ｓ１１）。
【０１１９】
紙幣処理ユニット制御部２３は、スタッカ２に対して紙幣の繰り出し要求を通知する（ステップＳ１２）。
紙幣処理ユニット制御部２３は、時間計測の間に、紙幣処理ユニット７０から正常に繰り出された旨の繰り出し結果を受信する。そして、紙幣処理ユニット７０からカウンタ部７０ｅが二千円券の紙幣の繰り出しの検知信号を受信する。カウント情報管理部２５は、紙幣処理ユニット制御部２３から検知信号を取得してカウント情報保持部２１が保持するスタッカ２のカウント枚数を３０枚から１枚引かれた２９枚に更新する（ステップＳ１３，Ｓ１４，Ｓ１７）。
【０１２０】
ところが、紙幣処理ユニット制御部２３は、スタッカ２から二千円券が２枚重なった状態で繰り出されているとする鑑別結果を受信する（ステップＳ１８）。
状態情報設定部２４は、当該鑑別結果に基づいて状態情報保持部２２のスタッカ２のエラーフラグにＯＮをセットする（ステップＳ１９，Ｓ１１ａ及び図６（Ｂ））。
【０１２１】
そして、紙幣処理ユニット制御部２３は、再び、スタッカ２に対して紙幣の繰り出し要求を通知して、上記と同様に、カウント情報管理部２５は、紙幣処理ユニット制御部２３から検知信号を取得してカウント情報保持部２１が保持するスタッカ２のカウント枚数を２９枚から１枚引かれた２８枚に更新して、正常に二千円券が出金される（ステップＳ１２〜Ｓ１４，Ｓ１７〜Ｓ１９，Ｓ１１ｂ，Ｓ１１ｃ）。
【０１２２】
次いで、ＡＴＭ１０においてカセットＦから紙幣をスタッカ２に二千円券の紙幣を搬送させる場合について説明する。なお、紙幣が充填されているカセットＦ，ＲはＡＴＭ１０に対して装着した直後の状態であるものとする。つまり、カセットＦ，Ｒのエラーフラグは共にＯＮである。
【０１２３】
紙幣処理ユニット制御部２３は、まず、カセットＦを選択して、カセットＦに対して紙幣の繰り出し要求を通知する（ステップＳ１０１，Ｓ１２）。
紙幣処理ユニット制御部２３は、時間計測の間に、紙幣処理ユニット７０から正常に二千円券の紙幣が繰り出された旨の繰り出し結果を受信する。そして、紙幣処理ユニット７０からカウンタ部７０ｉから紙幣の繰り出しの検知信号を受信する。カウント情報管理部２５は、紙幣処理ユニット制御部２３から検知信号を取得してカウント情報保持部２１が保持するカセットＦのカウント枚数を３０枚から１枚引いた２９枚に更新する（ステップＳ１３，Ｓ１４，Ｓ１７）。
【０１２４】
紙幣処理ユニット制御部２３は、紙幣センサ７０ｉ１から有り高が０枚である旨が通知されないために、カセットＦから繰り出された二千円券の紙幣が２枚重なった状態である旨の鑑別結果を受信する（ステップＳ１０２，Ｓ１８，Ｓ１９）。
【０１２５】
状態情報設定部２４は、当該鑑別結果に基づいて状態情報保持部２２のカセットＦのＯＮのエラーフラグのセットを維持する（ステップＳ１９，Ｓ１１ａ及び図６（Ｂ））。
そして、紙幣処理ユニット制御部２３は、再び、カセットＦに対して二千円券の紙幣の繰り出し要求を通知して、カセットＦの二千円券のカウント枚数を２９枚から１枚引いた２８枚に更新し、カセットＦから繰り出された紙幣は鑑別された紙幣の金種に対応するスタッカに搬送される（ステップＳ１２〜Ｓ１４，Ｓ１７，Ｓ１０２〜Ｓ１９，Ｓ１１ｂ，Ｓ１０５）。
【０１２６】
なお、スタッカ２にはこのように二千円券の紙幣を１枚収納したために、カウント情報保持部２１のスタッカ２のカウント枚数は２９枚から３０枚に更新される。
次いで、このようなＡＴＭ１０によるカウント情報の更新処理の具体例を説明する。
【０１２７】
例えば、ＡＴＭ１０の状態情報保持部２２が保持する状態情報が図６（Ｂ）に示される場合について説明する。
精査実行部２６は状態情報保持部２２を参照して状態情報を取得して、スタッカＡのエラーフラグにＯＮがセットされていないことを判別する（ステップＳ２１，Ｓ２２，Ｓ２３）。
【０１２８】
精査実行部２６は、１に１を追加した２をｉにセットして、ｉ＝２が６以下であることを判別する（ステップＳ２７，Ｓ２８）。
精査実行部２６はｉ＝２に対応するスタッカ１のエラーフラグにＯＮがセットされていないことを判別する（ステップＳ２３）。
【０１２９】
精査実行部２６は、２に１を追加した３をｉにセットして、ｉ＝３が６以下であることを判別する（ステップＳ２７，Ｓ２８）。
精査実行部２６はｉ＝３に対応するスタッカ２のエラーフラグにＯＮがセットされていることを判別する（ステップＳ２３）。
【０１３０】
精査実行部２６は、スタッカ２の精査実行要求を紙幣処理ユニット制御部２３に通知することにより、紙幣処理ユニット制御部２３は紙幣処理ユニット７０のスタッカ２の精査を実行させる（ステップＳ２４）。
【０１３１】
精査実行部２６は、紙幣処理ユニット制御部２３から紙幣処理ユニット７０におけるスタッカ２の精査結果（２９枚＝３０枚（初期値）−２枚（２枚繰り出し）＋１枚（カセットＦから収納））を受信する。
【０１３２】
更新部２７は、スタッカ２のカウント枚数の３０枚（＝３０枚（初期値）−１枚（繰り出し）＋１枚（カセットＦから収納））を精査結果の２９枚に更新する（ステップＳ２５，Ｓ２６）。
【０１３３】
精査実行部２６は、３に１を追加した４をｉにセットして、ｉ＝４が６以下であることを判別する（ステップＳ２７，Ｓ２８）。
精査実行部２６はｉ＝４に対応するスタッカ３のエラーフラグにＯＮがセットされていないことを判別する（ステップＳ２１，Ｓ２２，Ｓ２３）。
【０１３４】
精査実行部２６は、４に１を追加した５をｉにセットして、ｉ＝５が６以下であることを判別する（ステップＳ２７，Ｓ２８）。
精査実行部２６はｉ＝５に対応するカセットＦのエラーフラグにＯＮがセットされていることを判別する（ステップＳ２１，Ｓ２２，Ｓ２３）。
【０１３５】
精査実行部２６は、紙幣処理ユニット制御部２３から紙幣処理ユニット７０におけるカセットＦの精査結果（２７枚（＝３０枚（初期値）−２枚（２枚繰り出し）−１枚（繰り出し）））を受信する。
【０１３６】
更新部２７は、カセットＦのカウント枚数の０枚（＝０枚（初期値）−２枚（繰り出し））を精査結果の２７枚に更新する（ステップＳ２５，Ｓ２６）。
精査実行部２６は、５に１を追加した６をｉにセットして、ｉ＝６が６以下であることを判別する（ステップＳ２７，Ｓ２８）。
【０１３７】
精査実行部２６はｉ＝６に対応するカセットＲのエラーフラグにＯＮがセットされていることを判別する（ステップＳ２１，Ｓ２２，Ｓ２３）。
精査実行部２６は、紙幣処理ユニット制御部２３から紙幣処理ユニット７０におけるカセットＲの精査結果（３０枚（初期値））を受信する。
【０１３８】
更新部２７は、カセットＲのカウント枚数の０枚（＝０枚（初期値）−０枚（繰り出し））を精査結果の３０枚に更新する（ステップＳ２５，Ｓ２６）。
精査実行部２６は、６に１を追加した７をｉにセットして、ｉ＝７が６以下ではないことを判別する（ステップＳ２７，Ｓ２８）。
【０１３９】
精査実行部２６は、状態情報保持部２２の状態情報のエラーフラグをリセットして、全てＯＦＦにする（ステップＳ２９）。
以上の処理を実行することにより、カウント情報保持部２１が保持するカウント情報が更新されて、スタッカＡ，１〜３、カセットＦ，Ｒに収納されている紙幣の有り高と、スタッカＡ，１〜３、カセットＦ，Ｒの紙幣の実際の有り高とが一致するようになる。
【０１４０】
このようなＡＴＭ１０では、複数のスタッカＡ，１〜３、カセットＦ，Ｒからそれぞれ入出した紙幣の枚数を計数すると共に、繰り出された紙幣の状態を鑑別して、スタッカＡ，１〜３、カセットＦ，Ｒごとに紙幣の状態を対応させるようにした。
【０１４１】
これにより、繰り出された紙幣の状態に多重繰り出し、鑑別不良等の異常があったスタッカＡ，１〜３、カセットＦ，Ｒのみの紙幣の有り高の精査を実行するようにした。そして、スタッカＡ，１〜３、カセットＦ，Ｒから繰り出された紙幣の枚数及びスタッカＡ，１〜３、カセットＦ，Ｒの紙幣の有り高を更新するようにした。
【０１４２】
したがって、全てのスタッカＡ，１〜３、カセットＦ，Ｒの紙幣の枚数の精査を実行する必要が無くなるため、ＡＴＭ１０の停止時間が短縮され、紙幣処理ユニット７０の精査時の紙幣詰まり等の故障の発生率の向上、また、紙幣処理ユニット７０の劣化の進行がそれぞれ抑制される。この結果、ＡＴＭ１０の寿命の短縮が抑制する。
【０１４３】
なお、上記の処理機能は、コンピュータによって実現することができる。その場合、自動取引装置１及びＡＴＭ１０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置、フレキシブルディスク（ＦＤ）、磁気テープ等がある。光ディスクには、ＤＶＤ（Digital Versatile Disc）、ＤＶＤ−ＲＡＭ、ＣＤ（Compact Disc）−ＲＯＭ／ＲＷ（Re-Writable）等がある。光磁気記録媒体には、ＭＯ（Magneto-Optical disk）等がある。
【０１４４】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１４５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１４６】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【０１４７】
１  自動取引装置
２  計数情報保持手段
３  状態情報保持手段
４  精査実行手段
５  更新手段
６  紙幣処理制御手段
７  紙幣処理装置
７ａ  収納手段
７ｂ  精査手段
７ｃ  計数手段
７ｄ  鑑別手段
１０  ＡＴＭ
２０  制御ユニット
２０ａ  ＣＰＵ
２０ｂ  ＲＡＭ
２０ｃ  ＨＤＤ
２０ｄ  グラフィックインタフェース
２０ｅ  ホスト通信制御部
２０ｆ  入出力インタフェース
２０ｇ  バス
２１  カウント情報保持部
２２  状態情報保持部
２３  紙幣処理ユニット制御部
２４  状態情報設定部
２５  カウント情報管理部
２６  精査実行部
２７  更新部
２８  表示ユニット制御部
３０  表示ユニット
３０ａ  表示部
３０ｂ  入力検知部
４０  カード処理ユニット
４０ａ  カード挿入／排出口
５０  通帳処理ユニット
５０ａ  通帳挿入／排出口
６０  硬貨処理ユニット
６０ａ  硬貨入出金部
７０  紙幣処理ユニット
７０ａ  紙幣入出金部
７０ｂ  鑑別部
７０ｃ  一時保留部
７０ｄ  取り忘れリジェクト部
７０ｅ，７０ｆ，７０ｇ，７０ｈ，７０ｉ，７０ｊ  カウンタ部
７０ｋ  リジェクト部
７０ｉ１，７０ｊ１  紙幣センサ
【図１】
2012230591.tif 000003
【図２】
2012230591.tif 000004
【図３】
2012230591.tif 000005
【図４】
2012230591.tif 000006
【図５】
2012230591.tif 000007
【図６】
2012230591.tif 000008
【図７】
2012230591.tif 000009
【図８】
2012230591.tif 000010
【図９】
2012230591.tif 000011
【図１０】
2012230591.tif 000012
【図１１】
2012230591.tif 000013